(57)【特許請求の範囲】
【請求項１】
紙媒体に文字、図、写真などが記載又は印刷された複数のページを有する文書の指定した位置に関する情報を表示する文書位置情報処理システムであって、
前記文書の所望のページ数及びこのページ内の所望の位置を所定の入力装置により指定すると、前記指定されたページ数及び所望の位置データを送信する位置情報指定手段と、前記ページ数及び所望の位置データを受信し、このページ数及び位置データに対応するページの内容データを表示データとして送信する情報処理手段と、送信された表示データにより、指定されたページの内容を表示する表示手段とを備え、前記位置情報指定手段は、前記文書を載置する座標認識手段と、前記座標認識手段に載置された文書の任意の位置で所望のページ数を指定する手書きと同じ動作と前記指定されたページ内の所望の位置をポインティングする動作とを電子的に検出するペン状の入力手段を有し、前記検出した動作を前記座標認識手段で座標データとして認識し、この座標データを前記ページ数及びこのページ内の所望の位置データとして送信するものであり、前記情報処理手段は、前記座標データと各ページの内容データとを対応させた文書データ格納手段と、この文書データ格納手段から、受信した座標データに対応する内容データを抽出する抽出手段と、この抽出した内容データを表示データとして生成して送信する表示データ生成手段とを有するものであることを特徴とする文書位置情報処理システム。
【請求項２】
前記位置情報指定手段は、前記文書に記載又は印刷されたページ数及びページ内の位置の情報を光学的に読み取り、前もって記憶されたパターンとの照合により、文字を特定する読み取り手段であることを特徴とする請求項１記載の文書位置情報処理システム。
【請求項３】
前記位置情報指定手段は、前記文書を載置する載置手段と、この載置手段にページ数及び各ページ内の位置の情報を入力する数字入力手段とを有し、入力された情報が前記指定されたページ数及び所望の位置データとして送信されるものであることを特徴とする請求項１記載の文書位置情報処理システム。
【請求項４】
前記位置情報指定手段は、前記文書を載置する座標認識手段が、圧力センサを内蔵し、前記載置された文書に記載又は印刷されたページ数及びページ内の位置を押下する圧力伝達手段によって押下された位置を検知するものであることを特徴とする請求項１記載の文書位置情報処理システム。
【請求項５】
前記格納手段は、各ページに対応する前記内容データのほか、各ページ内の位置データとこのページ内位置データに対応する補足・関連データを格納し、前記表示手段で表示されたページ内の所望の位置を前記位置情報指定手段で指定し、この指定されたページ数データとページ内位置データとを送信すると、前記情報処理手段は、上記格納手段から、このページ内位置データに対応する補足・関連データを抽出し、前記表示データ生成手段で、この補足・関連データを表示データとして生成して送信し、前記表示手段でこの補足・関連データの内容を表示することを特徴とする請求項１から請求項４までのいずれかに記載の文書位置情報処理システム。
【請求項６】
前記文書データ格納手段は、情報処理手段と通信自在に接続され、通信手段を介して上記各データの送受信を行なうように構成されたものであることを特徴とする請求項１から請求項５までのいずれかに記載の文書位置情報処理システム。
【請求項７】
前記補足・関連データは、ページ内位置データで指定された範囲の拡大表示またはこの指定された範囲に記載又は印刷された事項を補足し、又はこれらの事項に関連するデータであることを特徴とする請求項１から６までのいずれかに記載の文書位置情報処理システム。
【請求項８】
上記情報処理手段は、ワールド・ワイド・ウェブを介してウェブサイトにアクセス可能なように接続され、前記格納手段は、ページ内位置データとハイパーリンクが設定された補足・関連データとを対応させ、前記位置情報指定手段でこのハイパーリンクが設定された補足・関連データに対応するページ内位置データが指定されると、前記格納手段からこの補足・関連データを抽出するとともに、上記リンク先のウェブサイトのデータを上記ワールド・ワイド・ウェブを介して呼び出して上記表示手段で閲覧できるようにしたものであることを特徴とする請求項１から請求項７までのいずれかに記載の文書位置情報処理システム。
【請求項９】
紙媒体に文字、図、写真などが記載又は印刷された複数のページを有する文書の指定した位置に関する情報を表示する文書位置情報処理方法であって、
情報処理装置によって前記文書のページ数データと各ページの内容データとを対応させた文書データを文書ごとに格納するステップと、前記文書の任意の位置でペン状の入力装置によって、所望のページ数を手書きと同じ動作によって入力すると、入力した軌跡を電子的に検出して座標データとして認識し、前記情報処理装置に送信するステップと、前記情報処理装置は、受信した前記座標データをページ数を示す文字情報として認識し、前記格納された内容データから、前記認識されたページ数に対応する内容データを照合・抽出するステップと、前記文書の任意の位置でペン状の入力装置によって、所望のページ数を手書きと同じ動作によって入力すると、入力した軌跡を電子的に検出して座標データとして認識し、前記情報処理装置に送信するステップと、前記情報処理装置は、受信した前記座標データをページ数を示す文字情報として認識し、前記格納された内容データから、前記認識されたページ数に対応する内容データを照合・抽出するステップと、抽出された内容データを表示データとして生成するステップと、生成された表示データを表示装置に送信するステップと、表示装置がこの送信された表示データを受信し、表示画面に表示させるステップとを備えたことを特徴とする文書位置情報処理方法。
【請求項１０】
前記情報処理方法は、各ページに対応する前記内容データのほか、各ページ内の位置データとこのページ内位置データに対応する補足・関連データを格納するステップと、前記入力されたページ数に対応する内容データから生成された表示データが、表示装置で表示された後、前記入力装置で入力されたページ数のページ内において所望の位置を指定すると、指定した位置データを前記情報処理装置に送信するステップと、この送信された位置データを前記情報処理装置で受信するステップと、この情報処理装置は、位置データに対応する前記補足・関連データを照合し、抽出するステップと、抽出された補足・関連データを表示データとして生成するステップと、生成された表示データを表示装置に送信するステップと、表示装置がこの送信された表示データを受信し、表示画面に表示させるステップとを備えたことを特徴とする請求項９記載の文書位置情報処理方法。
【発明の詳細な説明】
【技術分野】
【０００１】
本発明は、紙媒体に文字、図、写真などが記載又は印刷された複数のページを有する文書の指定した位置に関する情報を表示する文書位置情報処理システム及び文書位置情報処理方法に関する。
【背景技術】
【０００２】
従来、本などの紙媒体に印刷された複数ページを有する文書のページやページ内の特定の位置を検出し、表示する文書位置情報処理システム及び文書位置情報処理方法は、多数提案されていた。
【０００３】
たとえば、本をペンタブレット上に載置し、この本の各ページに印刷されている光学的に読取可能なバーコード等のマークを撮像素子で撮像し、タッチペンで指示した位置データ及び撮像素子で撮像されたページデータに基づいて、情報処理装置でこのページ上で指示した位置に対応する情報をディスプレイで表示するページ検出装置（例えば、特許文献１参照）、各ページの表面に光学的センサで読取るために光学的マークが形成され、前記光学的センサは、各シート（ページ）に密着することにより、外来光から光学センサを遮断する遮蔽板を備えたページ検出装置（例えば、特許文献２参照）、本の綴じ込み金具内に発光素子と受光素子からなるフォトセンサを内蔵させ、シート（ページ）に光学的に読取可能なマークが印刷され、このマークを前記フォトセンサで読み取ってページを検出するとともに、ページを捲ると、前記センサの光路が遮断され、ページ捲りされたことが検出されるページ検出装置（例えば、特許文献３参照）、本やノートの各ページ用紙に、情報を電子回路に記憶させることが可能なＩＤタグを埋め込み、制御部上に設けられたリーダで無線通信を使ってＩＤタグに記憶されたページ情報等を読み出す情報処理装置（例えば、特許文献４参照）などである。
（例えば、特許文献１参照）。
【特許文献１】特開２０００−１３７５６９（請求項１の記載、３ページの記載）
【特許文献２】特開２０００−３００３４４（請求項１の記載、２ページの記載）
【特許文献３】特開２００２−２９８０７６（請求項１の記載、２ページの記載）
【特許文献４】特開２００６−０１１８２６（８ページの記載）
【発明の開示】
【発明が解決しようとする課題】
【０００４】
しかし、上記従来技術では、いずれもページ検出、ページ内位置の検出をする文書の各ページにページ情報等を記録した記録媒体を印刷、搭載するために、オリジナルの文書に、文書位置情報処理システム専用の加工を施す必要があり、利用者もシステムの他に、専用の文書をいちいち購入しなければならず、手間及びコストの負担が増大するという問題があった。
【０００５】
また、記録媒体の読取装置の操作についても、一定の習熟が必要であり、これらの装置に不慣れな利用者にとっては、必ずしも操作性の良いものとは言えないという不具合があった。
【０００６】
なお、単に文書の内容情報を提供するだけではなく、指定した内容情報の補足・関連情報、関連情報も表示できるようにすれば、拡張性が高くなり、利用価値が高まることが期待できる。
【０００７】
そこで、本発明は、上記問題点に鑑み、システム専用の文書を作成することなく、オリジナルの文書をそのまま使用して、簡単な操作でページ、ページ内の所定の位置の内容情報及び補足・関連情報を表示させる文書位置情報処理システムを提供することを課題とする。
【課題を解決するための手段】
【０００８】
上記課題を解決するため、本発明にかかる文書位置情報処理システムは、紙媒体に文字、図、写真などが記載又は印刷された複数のページを有する文書の指定した位置に関する情報を表示する文書位置情報処理システムであって、前記文書の所望のページ数及びこのページ内の所望の位置を所定の入力装置により指定すると、前記指定されたページ数及び所望の位置データを送信する位置情報指定手段と、前記ページ数及び所望の位置データを受信し、このページ数及び位置データに対応するページの内容データを表示データとして送信する情報処理手段と、送信された表示データにより、指定されたページの内容を表示する表示手段とを備え、前記位置情報指定手段は、前記文書を載置する座標認識手段と、前記座標認識手段に載置された文書の任意の位置で所望のページ数を指定する手書きと同じ動作と前記指定されたページ内の所望の位置をポインティングする動作とを電子的に検出するペン状の入力手段を有し、前記検出した動作を前記座標認識手段で座標データとして認識し、この座標データを前記ページ数及びこのページ内の所望の位置データとして送信するものであり、前記情報処理手段は、前記座標データと各ページの内容データとを対応させた文書データ格納手段と、この文書データ格納手段から、受信した座標データに対応する内容データを抽出する抽出手段と、この抽出した内容データを表示データとして生成して送信する表示データ生成手段とを有するものであることを特徴とする。
【０００９】
この構成によれば、利用者は、文書にシステム専用の加工を施さなくても、文書のページ数を入力して指定すると、この指定されたページに記載されている内容（文字、図、写真など）を前記表示手段で表示させることができる。
【００１０】
前記位置情報指定手段は、前記文書に記載又は印刷されたページ数及びページ内の位置の情報を光学的に読み取り、前もって記憶されたパターンとの照合により、文字を特定する読み取り手段であってもよい。
【００１１】
また、前記位置情報指定手段は、前記文書を載置する載置手段と、この載置手段にページ数及び各ページ内の位置の情報を入力する数字入力手段とを有し、入力された情報が前記指定されたページ数及び所望の位置データとして送信されるものであってもよい。
【００１２】
さらに、前記位置情報指定手段は、前記文書を載置する座標認識手段が、圧力センサを内蔵し、前記載置された文書に記載又は印刷されたページ数及びページ内の位置を押下する圧力伝達手段によって押下された位置を検知するものであってもよい。
【００１３】
表示手段で表示させる情報は、指定したページに記載されている内容だけではなく、各ページ内の所定の位置に記載または印刷されている内容の補足・関連情報であってもよい。
【００１４】
この場合、前記格納手段は、各ページに対応する前記内容データのほか、各ページ内の位置データとこのページ内位置データに対応する補足・関連データを格納し、前記表示手段で表示されたページ内の所定の位置を前記位置情報指定手段で指定すればよい。
そして、前記情報処理手段は、この指定されたページ内位置データを受信すると、上記格納手段から、このページ内位置データに対応する補足・関連データを抽出し、前記表示データ生成手段で、この補足・関連データを表示データとして生成して送信し、前記表示手段でこの補足・関連データの内容を表示する。
【００１５】
前記文書データ格納手段は、情報処理手段の中に組み込まれたものであってもよいが、情報処理手段と通信自在に接続され、通信手段を介して上記各データの送受信を行なうように構成されたものでもよい。
【００１６】
前記補足・関連データは、ページ内位置データで指定された範囲の拡大表示またはこの指定された範囲に記載又は印刷された事項に関連し、又はこれらの事項を補足するデータである。
【００１７】
なお、上記情報処理手段は、ワールド・ワイド・ウェブを介してウェブサイトにアクセス可能なように接続すれば、前記補足・関連データは、前記格納手段に格納されているデータだけではなく、リンク先のウェブサイトのデータも含まれることになる。
【００１８】
この場合、前記格納手段は、ページ内位置データとハイパーリンクが設定された補足・関連データとを対応させるようにし、前記位置情報指定手段でこのハイパーリンクが設定された補足・関連データに対応するページ内位置データが指定されると、前記格納手段からこの補足・関連データを抽出するとともに、上記リンク先のウェブサイトのデータを上記ワールド・ワイド・ウェブを介して呼び出して上記表示手段で閲覧できるようにすればよい。
【００１９】
上記課題を解決するため、本発明にかかる文書位置情報処理方法は、紙媒体に文字、図、写真などが記載又は印刷された複数のページを有する文書の指定した位置に関する情報を表示する文書位置情報処理方法であって、情報処理装置によって前記文書のページ数データと各ページの内容データとを対応させた文書データを文書ごとに格納するステップと、前記文書の任意の位置でペン状の入力装置によって、所望のページ数を手書きと同じ動作によって入力すると、入力した軌跡を電子的に検出して座標データとして認識し、前記情報処理装置に送信するステップと、前記情報処理装置は、受信した前記座標データをページ数を示す文字情報として認識し、前記格納された内容データから、前記認識されたページ数に対応する内容データを照合・抽出するステップと、前記文書の任意の位置でペン状の入力装置によって、所望のページ数を手書きと同じ動作によって入力すると、入力した軌跡を電子的に検出して座標データとして認識し、前記情報処理装置に送信するステップと、前記情報処理装置は、受信した前記座標データをページ数を示す文字情報として認識し、前記格納された内容データから、前記認識されたページ数に対応する内容データを照合・抽出するステップと、抽出された内容データを表示データとして生成するステップと、生成された表示データを表示装置に送信するステップと、表示装置がこの送信された表示データを受信し、表示画面に表示させるステップとを備えたことを特徴とする。
【００２０】
さらに、前記情報処理方法は、各ページに対応する前記内容データのほか、各ページ内の位置データとこのページ内位置データに対応する補足・関連データを格納するようにし、前記入力されたページ数に対応する内容データから生成された表示データが、表示装置で表示された後、前記入力装置で入力されたページ数のページ内において所望の位置を指定すると、指定した位置データを前記情報処理装置に送信し、この送信された位置データを前記情報処理装置で受信すると、この情報処理装置は、位置データに対応する前記補足・関連データを照合し、抽出し、抽出された補足・関連データを表示データとして生成し、生成された表示データを表示装置に送信し、表示装置がこの送信された表示データを受信し、表示画面に表示させるようにしてもよい。
【発明の効果】
【００２１】
以上の説明から明らかなように、本発明にかかる文書位置情報処理システムは、文書のページやページ内の位置を指定して表示させるために、システム専用の文書を作成する必要がないため、手間やコストを大幅に軽減させることができるという効果を奏する。
【００２２】
また、前記ページやページ内の位置の指定は、複雑な操作を必要とせず、手書き同様の操作や簡単な数字キーの操作等により実行することができるため、操作性がよく、初心者でも馴染み易いという効果を奏する。
【００２３】
さらに、指定したページ、ページ内の所定の位置の内容情報のほか、ウェブ上の情報も含めて、補足・関連情報を表示させることができるため、拡張性が高くなり、利用価値が高まるという効果も奏する。
【発明を実施するための最良の形態】
【００２４】
図１を参照して、１は、本発明にかかる文書位置情報処理システムの位置情報指定装置である。位置情報指定装置１の機器構成は、多数のバリエーションが考えられるが、システム専用の文書が不要であって、簡単な操作でページ数及びページ内の位置を指定できるものであればよい。このバリエーションについては、図６で説明するが、図１から図５では、位置情報指定装置１としてペンタブレットシステムを例に説明する。
【００２５】
位置情報指定装置１は、文書Ｄを載置するタブレット１１と専用ペン１２とから構成されている。タブレット１１上で専用ペン１２を移動させると、タブレット１１側で移動軌跡の位置認識をする。認識された位置情報（データ）は、無線通信２によって情報処理装置３に送信される。タブレット１１は、通常サイズの本やテキストの見開き状態でおさまりよく載置できる大きさであり、携帯性に優れているものがより望ましい。
【００２６】
情報処理装置３は、位置情報指定装置１から受信した位置情報データに基づいて、予め格納されている文書データからこの位置情報データに対応する内容データを抽出し、表示データを生成し、通信ケーブル４を介してこの表示データを表示装置５に送信する。表示装置５で受信した表示データによって前記指定された位置の内容が表示される。
【００２７】
ここで、「文書」とは、紙媒体に文字、図、写真などが記載又は印刷された複数のページを有するものをいう。「文書データ」とは、前記文書のページ数データを各ページに記載又は印刷されている内容データに対応させて構成したデータをいう。「内容データ」とは、前記の通り、文書の各ページ内に記載されている内容を示すデータをいう。「表示データ」とは、前記「内容データ」から生成され、表示装置５によって表示可能なデータをいう。
【００２８】
なお、情報処理装置３は、ワールドワイドウェブＷに接続され、ワールドワイドウェブＷを介してウェブサイト上の情報を表示装置５で閲覧することもできる。
【００２９】
図２は、図１で説明したハードウェア構成に従って位置情報指定装置１と情報処理装置３の機能ブロック図を示したものである。
【００３０】
位置情報指定装置１は、タブレット１１が座標認識部１１１として機能する。また、ポインティングデバイスとして専用ペン１２がページ入力／位置入力部１２１として機能する。
【００３１】
ページ入力／位置入力部１２１で、手書きと同じ動作でページを入力すると、ページ入力／位置入力部１２１の移動軌跡を電磁誘導式の検知方法によって、座標認識部１１１側でＸ，Ｙ座標データとして位置認識する。
【００３２】
従って、座標認識部１１１の任意の位置で、ページ入力／位置入力部１２１を使ってページ数を記載し、または、ページ内の所望の位置をポインティングすると、その記載した軌跡、または、ポインティングした位置をＸ，Ｙ座標データとして認識する。
【００３３】
位置情報指定装置１は、前記Ｘ，Ｙ座標データを情報処理装置３に送信する送信部１１２を有する。具体的には、例えばＢｌｕｅｔｏｏｔｈ（登録商標）やＩｒＤＡなどの無線通信２によって情報処理装置３に送信される。
【００３４】
なお、本実施の形態では、位置情報指定装置１と情報処理装置３との間の通信は、無線通信２によって行なうようにしているが、これに限定する趣旨ではない。従って有線による通信でも良い。ただし、上述のように、位置情報指定装置１は、携帯性に優れているものが望ましいため、無線通信によるものが好ましい。
【００３５】
このように、携帯性に優れた位置情報指定装置１に本などの文書Ｄを載置し、無線通信２によって上記Ｘ，Ｙ座標データを送信することができるので、例えば、本やテキストを使用した授業やセミナーなど、多くの聴講者に対して移動を伴う講義、講演をする場合に有用である。
【００３６】
情報処理装置３では、予め位置情報指定装置１に載置する文書Ｄのデータベースを作成し、このシステムを利用する場合に、どの文書Ｄを使用するか文書特定部３１で特定する。この使用する文書Ｄの特定は、例えば、図３で示す通り、情報処理装置３のモニター上で文書特定のアプリケーションを開き、所望する文書Ｄを選択するようにすればよい。図３では、選択しうる文書として文書Ａ，Ｂ，Ｃ，Ｄ，Ｅがあり、文書Ａを選択しているところを示している。
【００３７】
図２に戻り、各文書の内容データは、ページ数ごとに対応付けられて情報格納部３２に格納される。図４は、この情報格納部３２のデータテーブル例を示した。ページごとにページ内位置情報とこの位置に記載、印刷されている内容情報又は補足・関連表示情報が対応付けられている。
【００３８】
図４では、文書Ａについて、ページ数の入力情報が「１０」の場合、ページ内位置情報について指定がないときは、１０ページの内容全体が表示情報として対応付けられている。この１０ページのページ内位置情報として座標（１０，６０）〜（１２０，１２０）の範囲内が指定されると、１０ページの図２の補足・関連情報が表示情報として対応付けられている。同じく１０ページのページ内位置情報として座標（０，１２０）〜（１２０，１８０）の範囲内が指定されると、１０ページ図３に関連するウェブ情報が表示情報として対応付けられている。このウェブ情報は、ハイパーリンクが設定されている。このページ内位置情報、すなわち、座標（０，１２０）〜（１２０，１８０）の範囲内の位置が指定されると、このハイパーリンクにより、図１で説明したワールドワイドウェブＷを介してリンク先のウェブサイト上の情報を呼び出し、表示装置５で閲覧することができる。
【００３９】
ここで、ハイパーリンクとは、ウェブページを作成するために使用される記述言語であるハイパーテキストマークアップ言語（ＨＴＭＬ）でユニフォームリソースロケータ（ＵＲＬ）を含むリンクタグを文書内に挿入し、コンピュータ上にあるファイルから別のファイルを呼び出す技術をいう。
【００４０】
１０ページの表示情報データの下には、同様の形式で１１ページのページ内位置情報及び表示情報が対応付けられており、以後、ページ順に同様の形式でデータが格納されている。
【００４１】
なお、本実施の形態では、情報格納部３２は、情報処理装置３の中に組み込まれたものを示したが、情報処理装置３と通信自在に接続されたデータベースサーバとして設置し、通信手段を介して上記各データの送受信を行なうように構成してもよい。
【００４２】
図２に戻り、位置情報指定装置１の送信部１１２で送信されたＸ，Ｙ座標データを情報処理装置３の受信部３３が受信すると、ページ数が入力されて指定された場合は、ページ入力情報認識部３４でページ数が入力されたこと認識する。位置情報指定装置１としてペンタブレットシステムを使用した場合は、ページ入力情報認識部３４は、筆跡情報を認識する。この筆跡情報は、文字情報認識部３５により、文字（ページ数）として認識される。この処理は、公知の文字認識プログラムを情報処理装置３に搭載して実行すればよい。
【００４３】
一方、ページ入力／位置入力部１２１を使って、ページ内の所望の位置をポインティングして、ページ内の位置が指定された場合は、位置情報認識部３７でポインティングした位置のＸ，Ｙ座標データによって、ページ内のどの場所が指定されたのか認識する。
【００４４】
ページ内の位置の指定手段としては、上記のほか、ページ数／位置入力部１２１の押圧を繰り返すことにより、ページ数入力モードと位置入力モードの切替を行い、モード別に入力するように構成してもよい（図示せず）。さらに、入力動作終了後、別に設けた入力終了ボタンを押圧し、終了信号を送信してから、ページ内の位置を入力するように構成してもよい（図示せず）。
【００４５】
ページ数、ページ内の位置が、認識されると、情報照合・抽出部３６で、情報格納部３２から認識されたページ数、ページ内の位置に対応する表示情報を照合、抽出する。
【００４６】
抽出された表示情報は、表示データ生成部３８で表示装置５で表示できるデータとして生成され、送信部３９によって表示装置５に送信される。
【００４７】
図５は、本発明にかかる文書位置情報処理システムの処理フロー図である。以下、図２で説明した位置情報指定装置１と情報処理装置３と表示装置５を使用して説明する。
【００４８】
情報処理装置３で、使用する文書を特定した後（Ｓ１）、使用する文書を位置情報指定装置１に設定する（Ｓ２）。この設定は、ペンタブレットシステムを使用する場合には、タブレットに文書を見開きの状態で載置すればよい。
【００４９】
利用者が、前記設定した文書でページ数を入力すると（Ｓ３）、位置情報指定装置１は、入力されたページ数データを情報処理装置３に送信する（Ｓ４）。
【００５０】
情報処理装置３は、上記送信されたページ数データを受信すると（Ｓ５）、ページ数データをページ入力されたものと認識し、ページ入力されたものを文字情報として認識する（Ｓ６）。
【００５１】
この文字情報として認識されたページ数に対するページ内容情報を前記情報格納部３２（図２参照）から照合・抽出する（Ｓ７）。
【００５２】
抽出されたページ内容情報を表示データとして生成し（Ｓ８）、生成された表示データを表示装置５に送信する（Ｓ９）。
【００５３】
表示装置５では、上記表示データを受信すると（Ｓ１０）、入力されたページ全体を表示する（Ｓ１１）。
【００５４】
利用者が、位置情報指定装置１で、この表示されているページ内の所望の位置を指定すると（Ｓ１２）、この指定したページ内位置データを情報処理装置３に送信する（Ｓ１３）。
【００５５】
情報処理装置５でページ内位置データを受信すると（Ｓ１４）、ページ内位置データを位置情報として認識し（Ｓ１５）、認識されたページ内位置情報に対する表示情報を前記情報格納部３２（図２参照）から照合・抽出する（Ｓ１６）。
【００５６】
抽出された表示情報を表示データとして生成し（Ｓ１７）、生成された表示データを表示装置５に送信する（Ｓ１８）。
【００５７】
表示装置５では、上記表示データを受信すると（Ｓ１９）、入力されたページ全体を表示する（Ｓ２０）。
【００５８】
図６は、図１及び図２で説明した位置情報指定装置１の機器構成の他のバリエーションを列挙したものである。
【００５９】
これらの機器は、その主なものを列挙すると、機能から、手書きのページ数の入力及び各ページ内の位置のポインティング動作を電子的に検出するペン状の入力部と入力位置認識部とを有するもの（図６、（ａ）及び（ｂ））、文書Ｄに記載又は印刷されたページ数及び各ページ内の位置の情報を光学的に読取る読取部を有するもの（図６（ｃ））、ページ数及び各ページ内の位置の情報を数字入力部によって入力するもの（図６（ｄ）及び（ｅ））、の３タイプが考えられる。
【００６０】
ただし、特許請求の範囲で示した内容から逸脱しない限り、上記３タイプに限定する趣旨ではなく、上記３タイプに分類されないページ数及び各ページ内の位置の入力装置であってもよい。
【００６１】
図６（ａ）は、図２で説明したページ入力／位置入力部として超音波電子ペン１２ａを使用し、座標認識部として超音波・赤外線センサ１１ａを使用したものである。これは、超音波電子ペン１２ａから超音波または赤外線を発生し、所定位置に固定した超音波・赤外線センサ１１ａまで超音波・赤外線が伝搬する時間から専用ペン１２ａの位置を計算するものである。
【００６２】
図６（ｂ）は、図２で説明したページ入力／位置入力部としてアノト（登録商標）ペン１２ｂを使用し、座標認識部としてアノト紙１１ｂを使用したものである。このアノトペンは、ペン先の近傍にカメラが設置され、カメラで捉えた画像をリアルタイムで解析するプロセッサ、ペンの軌跡を保存するメモリ、駆動源となるバッテリーを備えてる。アノト紙には、薄いインクで小さな不ぞろいのドットが印刷されており、アノトペンの先端に付いている前記カメラがこのドットをグリッドとして常に撮影している。このドットの軌跡から逆算して、筆跡を割り出しで文字認識するものである。
【００６３】
図６（ｃ）は、図２で説明したページ入力／位置入力部として、画像読取が可能な小型画像読取機器１２ｃ（例えば、ペン状のものの先端にＯＣＲ機器など小型画像読取機器を取り付けたもの）を使用したものであり、文書Ｄのページ数部分を光学的に読み取って、前もって記憶されたパターンとの照合により、文字を特定するものである。
【００６４】
図６（ｄ）は、図２で説明したページ入力／位置入力部として、０〜９までの数字キー及びＥＮＴＥＲキーを有するページ入力用キーボード１２ｄとページ内の所定の位置を指定する数字キー１２ｄ’とからなる入力装置である。
【００６５】
ページ入力用キーボード１２ｄでページ数を入力し、ＥＮＴＥＲキーを押下すると、ページ数データが情報処理装置３に送信される。また、指定したいページ内の位置の近傍の数字キー１２ｄ’を押下すると、押下した数字キー１２ｄ’の範囲内の位置データとして情報処理装置３に送信される。
【００６６】
図６（ｅ）は、図６（ｄ）の変形例であり、図６（ｄ）のページ数の入力キーとページ内の位置を指定する入力キーを共通数字キー１２ｅとして共通化させたものである。ページ数を入力する場合は、まず、Ｐａｇｅキー１２１ｅを押下してから、共通数字キー１２ｅで指定するページ数を入力し、ＥＮＴＥＲキー１２３ｅを押下すればよい。ページ内の位置を指定する場合は、まず、Ｐｏｓｉｔｉｏｎキー１２２ｅを押下してから、指定したいページ内の位置の近傍の共通数字キー１２ｅを押下し、ＥＮＴＥＲキー１２３ｅを押下すればよい。
【００６７】
なお、上記ページ入力用キーボード１２ｄは、タッチセンサー式のものでもよい。また、ページ内の位置の指定については、上記指定したいページ内の位置の近傍にタッチセンサーを設けてもよい。 
【００６８】
さらに、ページ内の位置を指定するものとして、圧力センサ内蔵ボードに文書Ｄを載置し、圧力伝達器具を使用して、所望のページ内の位置を押下すると、押下した範囲をページ内位置データとして送信するものでもよい（図示せず）。
【図面の簡単な説明】
【００６９】
【図１】本発明にかかる文書位置情報処理システムのハードウェア構成図
【図２】本発明にかかる文書位置情報処理システムの機能ブロック構成図
【図３】文書選択画面の一例を示した図
【図４】情報格納部のデータテーブル
【図５】本発明にかかる文書位置情報処理システムの処理フロー図
【図６】（ａ）超音波電子ペン及び超音波・赤外線センサを用いた位置情報指定部、（ｂ）アノトペン及びアノト紙を用いた位置情報指定部、（ｃ）小型ＯＣＲ機器を用いた位置情報指定部、（ｄ）数字入力キーボードを用いた位置情報指定部、（ｅ）数字入力キーボードを用いた位置情報指定部（（ｄ）の変形例）
【符号の説明】
【００７０】
１ 位置情報指定装置
２ 無線通信
３ 情報処理装置
４ 通信ケーブル
５ 表示装置
Ｄ 文書
【図１】
0004990704.tif 000002
【図２】
0004990704.tif 000003
【図３】
0004990704.tif 000004
【図４】
0004990704.tif 000005
【図５】
0004990704.tif 000006
【図６】
0004990704.tif 000007